【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
アクセサリ装置の装着が可能な撮像装置であって、
前記アクセサリ装置との間に通信経路を設けるカメラ通信部と、
前記カメラ通信部を介して前記アクセサリ装置との通信を行うカメラ制御部とを有し、
前記カメラ制御部は、前記撮像装置から前記アクセサリ装置への電源供給に応じて初期通信を行い、
前記カメラ制御部は、前記初期通信において、
前記アクセサリ装置に第１の要求を送信し、
前記撮像装置と前記アクセサリ装置との通信を停止するか否かを示す第１の情報を受信し、
前記第１の情報に応じて前記アクセサリ装置との通信を制御することを特徴とする撮像装置。
【請求項２】
複数のアクセサリ装置が前記撮像装置に装着可能であって、
前記カメラ制御部は、
受信した前記第１の情報から、前記複数のアクセサリ装置のうち通信対象としての前記アクセサリ装置を判別し、
前記通信対象と判別した前記アクセサリ装置との通信を行うことを特徴とする請求項１に記載の撮像装置。
【請求項３】
前記第１の情報が、前記撮像装置と前記アクセサリ装置との通信を停止することを示す場合に、
前記カメラ制御部は、
前記アクセサリ装置への電源の供給が停止されるまで、前記初期通信の後、前記第１の要求の送信を停止することを特徴とする請求項１または２に記載の撮像装置。
【請求項４】
前記第１の情報が、前記撮像装置と前記アクセサリ装置との通信を停止しないことを示す場合に、
前記アクセサリ装置への電源の供給が停止されるまで、前記撮像装置と前記アクセサリ装置との通信は、前記初期通信の後に行われることを特徴とする請求項３に記載の撮像装置。
【請求項５】
前記カメラ制御部は、第１の通信線と第２の通信線を介して通信を行い、
前記カメラ制御部は、第１のモードにおいて、前記第２の通信線の信号レベルが所定の信号レベルに変化した後、前記第２の通信線の信号レベルを前記所定の信号レベルに維持したまま、前記第１の通信線を介してデータを送信し、
前記カメラ制御部は、第２の通信モードにおいて、前記第２の通信線の信号レベルが前記所定の信号レベルに変化する前に、前記第１の通信線を介してデータを送信することを特徴とする請求項４に記載の撮像装置。
【請求項６】
前記カメラ制御部は、前記第１の要求を受信した前記アクセサリ装置から、前記第１の情報と前記アクセサリ装置の識別情報とを含む認証情報を受信することを特徴とする請求項１から５のいずれか一項に記載の撮像装置。
【請求項７】
前記カメラ制御部は、前記初期通信において、前記アクセサリ装置から前記認証情報を受信することを特徴とする請求項６に記載の撮像装置。
【請求項８】
前記撮像装置に対する通信の終端である前記アクセサリ装置から送信される前記認証情報は、前記終端であることを示す終端情報を含むことを特徴とする請求項６または７に記載の撮像装置。
【請求項９】
前記カメラ制御部は、
前記アクセサリ装置から、通信リクエストと該通信リクエストの要因に対応する第２の情報とを受信し、
前記第２の情報に応じて前記撮像装置または前記アクセサリ装置を制御することを特徴とする請求項１から８のいずれか一項に記載の撮像装置。
【請求項１０】
撮像装置に装着可能なアクセサリ装置であって、
前記撮像装置との間に通信経路を設けるアクセサリ通信部と、
前記アクセサリ通信部を介して前記撮像装置との通信を行うアクセサリ制御部とを有し、
前記アクセサリ制御部は、前記撮像装置から前記アクセサリ装置への電源供給に応じて初期通信を行い、
前記アクセサリ制御部は、前記初期通信において、
第１の要求を受信することに応じて、前記撮像装置と前記アクセサリ装置との通信を停止するか否かを示す第１の情報を前記撮像装置に送信することを特徴とするアクセサリ装置。
【請求項１１】
前記アクセサリ制御部は、前記撮像装置が前記第１の情報から前記アクセサリ装置を通信対象として判別することに応じて、前記撮像装置との通信を行うことを特徴とする請求項１０に記載のアクセサリ装置。
【請求項１２】
前記第１の情報が、前記撮像装置と前記アクセサリ装置との通信を停止することを示す場合に、
前記アクセサリ制御部は、前記アクセサリ装置への電源の供給が停止されるまで、前記初期通信の後、前記第１の要求の受信を停止することを特徴とする請求項１０または１１に記載のアクセサリ装置。
【請求項１３】
前記第１の情報が、前記撮像装置と前記アクセサリ装置との通信を停止しないことを示す場合に、
前記アクセサリ装置への電源の供給が停止されるまで、前記撮像装置と前記アクセサリ装置との通信は、前記初期通信の後に行われることを特徴とする請求項１２に記載のアクセサリ装置。
【請求項１４】
前記アクセサリ制御部は、第１の通信モードまたは第２の通信モードによる通信を、第１の通信線と第２の通信線を介して行い、
前記アクセサリ制御部は、第１のモードにおいて、前記第２の通信線の信号レベルが所定の信号レベルに変化した後、前記第２の通信線の信号レベルを前記所定の信号レベルに維持したまま、前記第１の通信線を介してデータを受信し、
前記アクセサリ制御部は、第２の通信モードにおいて、前記第２の通信線の信号レベルが前記所定の信号レベルに変化する前に、前記第１の通信線を介してデータを受信することを特徴とする請求項１３に記載のアクセサリ。
【請求項１５】
前記アクセサリ制御部は、前記第１の要求に応じて、前記第１の情報と前記アクセサリ装置の識別情報とを含む認証情報を前記撮像装置に送信することを特徴とする請求項１０から１４のいずれか一項に記載のアクセサリ装置。
【請求項１６】
前記アクセサリ制御部は、前記初期通信において、前記認証情報を前記撮像装置に送信することを特徴とする請求項１５に記載のアクセサリ装置。
【請求項１７】
前記アクセサリ装置が前記撮像装置に対する通信の終端である場合において、
前記認証情報は、前記終端であることを示す終端情報を含むことを特徴とする請求項１５または１６に記載のアクセサリ装置。
【請求項１８】
前記アクセサリ制御部は、前記撮像装置に、通信リクエストと該通信リクエストの要因に対応する第２の情報とを送信することを特徴とする請求項１０から１７のいずれか一項に記載のアクセサリ装置。
【請求項１９】
前記アクセサリ制御部は、前記撮像装置との通信の停止とともにスリープ状態に移行することを特徴とする請求項１０から１８のいずれか一項に記載のアクセサリ装置。
【請求項２０】
複数のアクセサリ装置が前記撮像装置に装着可能であって、
前記アクセサリ装置は、前記撮像装置と前記複数のアクセサリ装置のうち他のアクセサリ装置との通信を接続する接続状態と該通信を切断する切断状態とに切り換え可能なスイッチを有し、
前記アクセサリ制御部は、前記スイッチを前記接続状態として前記第１の要求を受信することに応じて、前記スイッチを前記切断状態に切り換えて前記撮像装置に前記第１の情報を送信することを特徴とする請求項１０から１９のいずれか一項に記載のアクセサリ装置。
【請求項２１】
前記アクセサリ制御部は、前記第１の情報を送信した後に、前記スイッチを前記接続状態に切り換えることを特徴とする請求項２０に記載のアクセサリ装置。
【請求項２２】
撮像装置と、該撮像装置に装着されるアクセサリ装置とを含む撮像システムであって、
前記撮像装置は、
前記アクセサリ装置との間に通信経路を設けるカメラ通信部と、
前記カメラ通信部を介して前記アクセサリ装置との通信を行うカメラ制御部とを有しており、
前記カメラ制御部は、前記撮像装置から前記アクセサリ装置への電源供給に応じて初期通信を行い、
前記カメラ制御部は、前記初期通信において、前記アクセサリ装置に第１の要求を送信し、
前記アクセサリ装置は、前記初期通信において、前記第１の要求を受信することに応じて、前記撮像装置と前記アクセサリ装置との通信を停止するか否かを示す第１の情報を前記撮像装置に送信し、
前記カメラ制御部は、前記初期通信において、前記第１の情報に応じて前記アクセサリ装置との通信を制御することを特徴とする撮像システム。
【請求項２３】
アクセサリ装置の装着が可能な撮像装置の通信制御方法であって、
前記撮像装置から前記アクセサリ装置への電源供給に応じて初期通信を行うステップと、
前記初期通信において、前記アクセサリ装置に第１の要求を送信するステップと、
前記初期通信において、前記撮像装置と前記アクセサリ装置との通信を停止するか否かを示す第１の情報を受信するステップと、
前記初期通信において、前記第１の情報に応じて前記アクセサリ装置との通信を制御するステップとを有することを特徴とする撮像装置の通信制御方法。
【請求項２４】
撮像装置に装着可能なアクセサリ装置の通信制御方法であって、
前記撮像装置から前記アクセサリ装置への電源供給に応じて初期通信を行うステップと、
前記初期通信において、前記撮像装置から第１の要求を受信するステップと、
前記初期通信において、前記第１の要求を受信することに応じて、前記撮像装置と前記アクセサリ装置との通信を停止するか否かを示す第１の情報を前記撮像装置に送信するステップとを有することを特徴とするアクセサリ装置の通信制御方法。
【請求項２５】
撮像装置のコンピュータに、請求項２３に記載の通信制御方法に従う処理を実行させることを特徴とするコンピュータプログラム。
【請求項２６】
撮像装置に装着が可能なアクセサリ装置のコンピュータに、請求項２４に記載の通信制御方法に従う処理を実行させることを特徴とするコンピュータプログラム。
【手続補正２】
【補正対象書類名】明細書
【補正対象項目名】０００８
【補正方法】変更
【補正の内容】
【０００８】
本発明の一側面としての撮像装置は、アクセサリ装置の装着が可能な撮像装置であって、前記アクセサリ装置との間に通信経路を設けるカメラ通信部と、前記カメラ通信部を介して前記アクセサリ装置との通信を行うカメラ制御部とを有し、前記カメラ制御部は、前記撮像装置から前記アクセサリ装置への電源供給に応じて初期通信を行い、前記カメラ制御部は、前記初期通信において、前記アクセサリ装置に第１の要求を送信し、前記撮像装置と前記アクセサリ装置との通信を停止するか否かを示す第１の情報を受信し、前記第１の情報に応じて前記アクセサリ装置との通信を制御することを特徴とする。
【手続補正３】
【補正対象書類名】明細書
【補正対象項目名】０００９
【補正方法】変更
【補正の内容】
【０００９】
また、本発明の他の一側面としてのアクセサリ装置は、撮像装置に装着可能なアクセサリ装置であって、前記撮像装置との間に通信経路を設けるアクセサリ通信部と、前記アクセサリ通信部を介して前記撮像装置との通信を行うアクセサリ制御部とを有し、前記アクセサリ制御部は、前記撮像装置から前記アクセサリ装置への電源供給に応じて初期通信を行い、前記アクセサリ制御部は、前記初期通信において、第１の要求を受信することに応じて、前記撮像装置と前記アクセサリ装置との通信を停止するか否かを示す第１の情報を前記撮像装置に送信することを特徴とする。
【手続補正４】
【補正対象書類名】明細書
【補正対象項目名】００１１
【補正方法】変更
【補正の内容】
【００１１】
また、本発明の他の一側面としての通信制御方法は、アクセサリ装置の装着が可能な撮像装置の通信制御方法であって、前記撮像装置から前記アクセサリ装置への電源供給に応じて初期通信を行うステップと、前記初期通信において、前記アクセサリ装置に第１の要求を送信するステップと、前記初期通信において、前記撮像装置と前記アクセサリ装置との通信を停止するか否かを示す第１の情報を受信するステップと、前記初期通信において、前記第１の情報に応じて前記アクセサリ装置との通信を制御するステップとを有することを特徴とする。
【手続補正５】
【補正対象書類名】明細書
【補正対象項目名】００１２
【補正方法】変更
【補正の内容】
【００１２】
また、本発明の他の一側面としての通信制御方法は、撮像装置に装着可能なアクセサリ装置の通信制御方法であって、前記撮像装置から前記アクセサリ装置への電源供給に応じて初期通信を行うステップと、前記初期通信において、前記撮像装置から第１の要求を受信するステップと、前記初期通信において、前記第１の要求を受信することに応じて、前記撮像装置と前記アクセサリ装置との通信を停止するか否かを示す第１の情報を前記撮像装置に送信するステップとを有することを特徴とする。